(57)【要約】【課題】撮像部と記録部が別構成で通信網を介して遠隔された映像記録装置では、記録部に大容量サーバ等を用いて長時間の映像記録ができる。しかし、長時間記録で作成される映像ファイルのサイズは巨大であり、編集作業に時間がかかるという課題がある。【解決手段】別体で構成される撮像側ユニット１００と記録側ユニット２００とを備える映像記録装置１０であって、撮像側ユニット１００は、撮影中の映像データを記録側ユニット２００に連続的に送信するとともに、映像データの撮影中に、映像データのファイルの区切りを指示する区切り指示情報を、記録側ユニット２００に送信し、記録側ユニット２００は、撮像側ユニット１００から送信されてくる映像データを、記録媒体に１つのファイルとして連続的に記録し、撮像側ユニット１００から前記区切り指示情報を受信すると、区切り指示情報以降の映像データを別のファイルとして記録する映像記録装置。【選択図】図２
2010161512.tif 000002
【特許請求の範囲】
【請求項１】
別体で構成される撮像装置と記録装置とを備える映像記録装置であって、
前記撮像装置は、撮影中の映像データを前記記録装置に連続的に送信するとともに、前記映像データの撮影中に、前記映像データのファイルの区切りを指示する区切り指示情報を、前記記録装置に送信し、
前記記録装置は、前記撮像装置から送信されてくる前記映像データを、記録媒体に１つのファイルとして連続的に記録し、前記撮像装置から前記区切り指示情報を受信すると、前記区切り指示情報以降の前記映像データを別のファイルとして記録する
映像記録装置。
【請求項２】
前記撮像装置と前記記録装置とは、互いに異なる２つの通信網を介して接続され、
前記撮像装置は、
撮影中の映像データを、伝送遅延の大きい第１の通信網を介して前記記録装置に送信する第１の送信部と、
ユーザからの前記区切り指示情報の入力を受け付ける区切り指示情報入力部と、
前記区切り指示情報入力部で受け付けた前記区切り指示情報を、伝送遅延の小さい第２の通信網を介して前記記録装置に送信する第２の送信部とを備え、
前記記録装置は、
前記撮像装置から前記第１の通信網を介して送信されてくる前記映像データを、記録媒体に１つのファイルとして連続的に記録する記録部と、
前記撮像装置から前記第２の通信網を介して前記区切り指示情報を受信すると、前記記録部を制御して、前記記録部に前記区切り指示情報以降の前記映像データを別のファイルとして記録させる機器制御部とを備える
請求項１記載の映像記録装置。
【請求項３】
前記撮像装置と前記記録装置とは、互いに１つの通信網を介して接続され、
前記撮像装置は、
撮影中の前記映像データを、あらかじめ定められた時間遅延させた後に前記通信網を介して前記記録装置に連続的に送信する送信部と、
ユーザからの前記区切り指示情報の入力を受け付ける区切り指示情報入力部とを備え、
前記送信部は、前記区切り指示情報入力部で受け付けた前記区切り指示情報を、前記通信網を介して前記記録装置に送信し、
前記記録装置は、
前記撮像装置から前記通信網を介して送信されてくる前記映像データを、記録媒体に１つのファイルとして連続的に記録する記録部と、
前記撮像装置から前記通信網を介して前記区切り指示情報を受信すると、前記記録部を制御して、前記記録部に前記区切り指示情報以降の前記映像データを別のファイルとして記録させる機器制御部とを備える
ことを特徴とする請求項１記載の映像記録装置。
【請求項４】
前記撮像装置と前記記録装置とは、互いに１つの通信網を介して接続され、
前記撮像装置は、
撮影中の前記映像データを、前記通信網を介して前記記録装置に連続的に送信する送信部と、
ユーザからの前記区切り指示情報の入力を受け付ける区切り指示情報入力部とを備え、
前記送信部は、前記区切り指示情報入力部で受け付けた前記区切り指示情報を、前記通信網を介して前記記録装置に送信し、
前記記録装置は、
前記撮像装置から前記通信網を介して送信されてくる前記映像データを、あらかじめ定められた時間遅延させた後に、記録媒体に１つのファイルとして連続的に記録する記録部と、
前記撮像装置から前記通信網を介して前記区切り指示情報を受信すると、前記記録部を制御して、前記記録部に前記区切り指示情報以降の前記映像データを別のファイルとして記録させる機器制御部とを備える
ことを特徴とする請求項１記載の映像記録装置。
【請求項５】
前記撮像装置は、撮影された前記映像データの重要部分開始点を示す第１区切り指示情報と、撮影された前記映像データの重要部分終了点を示す第２区切り指示情報とのいずれかである前記区切り指示情報を前記記録装置に送信し、
前記記録装置は、前記撮像装置から前記第１区切り指示情報と前記第２区切り指示情報とのいずれかである前記区切り指示情報を受信すると、前記第１又は第２区切り指示情報以降の前記映像データを別のファイルとして記録する
請求項１〜４のいずれか１項に記載の映像記録装置。
【請求項６】
前記記録装置は、前記第２区切り指示情報を受信した場合、前記第２区切り指示情報を受信してからあらかじめ定められた待機時間だけ待機した後、前記第２区切り指示情報以降の前記映像データを別のファイルとして記録する
請求項５記載の映像記録装置。
【請求項７】
別体で構成される撮像装置と記録装置とを備える映像記録装置における映像記録方法であって、
前記撮像装置は、映像データを撮影しながら、撮影される前記映像データを前記記録装置に連続的に送信し、前記映像データの撮影中に、前記映像データのファイルの区切りを指示する区切り指示情報を、前記記録装置に送信し、
前記記録装置は、前記撮像装置から送信されてくる前記映像データを、記録媒体に１つのファイルとして連続的に記録し、前記撮像装置から前記区切り指示情報を受信すると、前記区切り指示情報以降の前記映像データを別のファイルとして記録する
映像記録方法。
【発明の詳細な説明】
【技術分野】
【０００１】
本発明は、撮像部と記録部を別構成とする映像記録装置及びその映像記録方法に関するものである。
【背景技術】
【０００２】
従来、取材現場などで撮影された映像は、その記録媒体を放送局に運搬し、編集作業を経てニュース番組などで放送されていた。速報性が求められるニュース番組では、撮影から運搬、編集、放送までの作業が短時間に行われることが望ましい。
【０００３】
このため、撮影部と記録部を別構成とし、撮影部で撮影した映像を無線伝送し、遠隔地に置かれた記録部でこれを受信して記録する映像記録装置が考案されている（特許文献１参照）。このような装置を利用すれば、撮影、運搬、編集、放送という一連の作業のうち、記録媒体の運搬を省略することができ、放送までの作業時間を短縮することができる。
【特許文献１】特開２００１−３１３９３０号公報
【発明の開示】
【発明が解決しようとする課題】
【０００４】
しかしながら、取材現場では重要なシーンがいつ発生するか予測できない場合もあり、あらかじめカメラレコーダなどの映像記録装置を稼動させ続け、録画状態を長時間継続しておくことがある。さらには撮像部と記録部とが別構成であることを活用すれば、これまで取材現場に持って行くことが困難だった大容量ハードディスク等を多数備えたサーバ装置などを遠隔地に記録部として構えることが可能となる。これにより、記録時間や記憶容量を気にせず、常に取材現場からの映像を録画状態で稼動させておくような利用形態も可能となる。このような利用形態では、記録部に長時間の映像ファイルが生成されることになる。
【０００５】
図９は従来の映像記録装置で記録された映像ファイルを表した図である。図９において、３００は１つの映像ファイル、３１０は重要なシーンが記録された部分、３２０は重要なシーンが始まる前の部分、３３０は重要なシーンが終わった後の部分を表している。
【０００６】
録画状態を長時間継続したことで、映像ファイル３００は巨大なサイズのファイルとなっており、そのファイルの中に重要なシーン３１０が記録されている。
【０００７】
ここで、ニュース番組などの放送で使用するのは、重要なシーン３１０の部分だけであり、重要なシーン３１０というのは、多くの場合、数秒から数十秒程度の映像に過ぎない。編集者は、長時間録画された映像の中から編集作業で不要な部分をカットし、映像を加工する必要がある。
【０００８】
例えば、図９において映像ファイル３００から重要なシーン３１０だけを別ファイルとして取り出す場合、まず始めに編集作業のミス（誤ってファイルの削除やデータの上書きなど）に備えて、映像ファイル３００を丸ごとコピーしておく。その後で、目的の重要なシーン３１０をファイル３００の先頭からサーチする。そして、目的のシーンを見つけたら、そのシーンを別ファイルとして取り出し、不要な部分を削除する等の作業を行なう。
【０００９】
しかし、図９のファイル３００は長時間録画された映像ファイルであるため、巨大なファイルサイズになっており、ニュース番組などでは速報性が求められるにもかかわらず、コピーやサーチなどを伴う編集作業では多くの処理時間を要するという問題がある。
【００１０】
本発明ではこの課題を解決し、長時間の録画を行なっても、編集しやすい映像ファイルを作成することができる映像記録装置の提供を目的とする。
【課題を解決するための手段】
【００１１】
上記課題を解決するために、本発明は、別体で構成される撮像装置と記録装置とを備える映像記録装置であって、前記撮像装置は、撮影中の映像データを前記記録装置に連続的に送信するとともに、前記映像データの撮影中に、前記映像データのファイルの区切りを指示する区切り指示情報を、前記記録装置に送信し、前記記録装置は、前記撮像装置から送信されてくる前記映像データを、記録媒体に１つのファイルとして連続的に記録し、前記撮像装置から前記区切り指示情報を受信すると、前記区切り指示情報以降の前記映像データを別のファイルとして記録する。
【００１２】
また、本発明は、前記撮像装置と前記記録装置とは、互いに異なる２つの通信網を介して接続され、前記撮像装置は、撮影中の映像データを、伝送遅延の大きい第１の通信網を介して前記記録装置に送信する第１の送信部と、ユーザからの前記区切り指示情報の入力を受け付ける区切り指示情報入力部と、前記区切り指示情報入力部で受け付けた前記区切り指示情報を、伝送遅延の小さい第２の通信網を介して前記記録装置に送信する第２の送信部とを備え、前記記録装置は、前記撮像装置から前記第１の通信網を介して送信されてくる前記映像データを、記録媒体に１つのファイルとして連続的に記録する記録部と、前記撮像装置から前記第２の通信網を介して前記区切り指示情報を受信すると、前記記録部を制御して、前記記録部に前記区切り指示情報以降の前記映像データを別のファイルとして記録させる機器制御部とを備えるとしてもよい。
【００１３】
さらに、本発明は、前記撮像装置と前記記録装置とは、互いに１つの通信網を介して接続され、前記撮像装置は、撮影中の前記映像データを、あらかじめ定められた時間遅延させた後に前記通信網を介して前記記録装置に連続的に送信する送信部と、ユーザからの前記区切り指示情報の入力を受け付ける区切り指示情報入力部とを備え、前記送信部は、前記区切り指示情報入力部で受け付けた前記区切り指示情報を、前記通信網を介して前記記録装置に送信し、前記記録装置は、前記撮像装置から前記通信網を介して送信されてくる前記映像データを、記録媒体に１つのファイルとして連続的に記録する記録部と、前記撮像装置から前記通信網を介して前記区切り指示情報を受信すると、前記記録部を制御して、前記記録部に前記区切り指示情報以降の前記映像データを別のファイルとして記録させる機器制御部とを備えるとしてもよい。
【００１４】
また、本発明は、前記撮像装置と前記記録装置とは、互いに１つの通信網を介して接続され、前記撮像装置は、撮影中の前記映像データを、前記通信網を介して前記記録装置に連続的に送信する送信部と、ユーザからの前記区切り指示情報の入力を受け付ける区切り指示情報入力部とを備え、前記送信部は、前記区切り指示情報入力部で受け付けた前記区切り指示情報を、前記通信網を介して前記記録装置に送信し、前記記録装置は、前記撮像装置から前記通信網を介して送信されてくる前記映像データを、あらかじめ定められた時間遅延させた後に、記録媒体に１つのファイルとして連続的に記録する記録部と、前記撮像装置から前記通信網を介して前記区切り指示情報を受信すると、前記記録部を制御して、前記記録部に前記区切り指示情報以降の前記映像データを別のファイルとして記録させる機器制御部とを備えるとしてもよい。
【００１５】
さらに、本発明は、前記撮像装置は、撮影された前記映像データの重要部分開始点を示す第１区切り指示情報と、撮影された前記映像データの重要部分終了点を示す第２区切り指示情報とのいずれかである前記区切り指示情報を前記記録装置に送信し、前記記録装置は、前記撮像装置から前記第１区切り指示情報と前記第２区切り指示情報とのいずれかである前記区切り指示情報を受信すると、前記第１又は第２区切り指示情報以降の前記映像データを別のファイルとして記録するとしてもよい。
【００１６】
また、本発明は、前記記録装置は、前記第２区切り指示情報を受信した場合、前記第２区切り指示情報を受信してからあらかじめ定められた待機時間だけ待機した後、前記第２区切り指示情報以降の前記映像データを別のファイルとして記録するとしてもよい。
【００１７】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００１８】
本発明によれば、異なる２つの通信網の遅延時間の差や、撮像部または記録部に設けられた遅延処理部で映像データのみを遅延させることで、ファイルの区切り指示情報が同時刻の映像よりも先に記録部に伝わるため、録画中でも重要なシーンが新しいファイルに含まれるように切り替えて記録することが可能となる。これによって、最初の重要なシーンは長時間録画された巨大な映像ファイルとは別のファイルになり、２番目以降のファイルでは、重要シーンが常にファイルの冒頭部分に存在することになるため、ファイルサイズが小さく、素早い編集に適した映像ファイルを記録できるという効果が得られる。
【発明を実施するための最良の形態】
【００１９】
以下、本発明の実施の形態について、図面を用いて説明する。
【００２０】
（実施の形態１）
図１は、本実施の形態１の映像記録装置の概要を示す図である。図１に示すように、実施の形態１の映像記録装置１０は、互いに伝送速度の異なる２つの通信網を介して接続される撮像側ユニット１００と記録側ユニット２００とから構成される。２つの通信網は、第１の通信網９００と第２の通信網９５０とで構成される。例えば、第１の通信網９００は遅延の大きなＩＰ(Ｉｎｔｅｒｎｅｔ  Ｐｒｏｔｏｃｏｌ)通信網を表しており、第２の通信網９５０は遅延の小さな携帯電話通信網を表している。撮像側ユニット１００は、例えば、無線通信機を備えたビデオカメラなどで実現され、記録側ユニット２００は、例えば、多数の大容量ハードディスクなどからなる記録部２３０を備えた記録装置によって実現される。
【００２１】
図２は本実施の形態１の映像記録装置の撮像側ユニット１００の構成を表したブロック図である。図２に示すように、撮像側ユニット１００は、撮像処理部１１０、信号処理部１２０、第１の無線通信部１３０、第１のアンテナ１４０、機器操作部１５０、指示生成部１６０、第２の無線通信部１７０、第２のアンテナ１８０を備えている。また、例えば、第１の通信網９００は遅延の大きなＩＰ通信網を表しており、第２の通信網９５０は遅延の小さな携帯電話通信網を表している。
【００２２】
図３は本実施の形態１の映像記録装置の記録側ユニット２００の構成を表したブロック図である。図３に示すように、記録側ユニット２００は、第１の通信処理部２１０、信号処理部２２０、記録部２３０、第２の通信処理部２５０、指示処理部２６０、および機器制御部２７０を備えている。また、第１の通信網９００及び第２の通信網９５０は図２で示したものと同じである。
【００２３】
以上のように構成された映像記録装置１０について、その動作を説明する。
【００２４】
図２の撮像側ユニット１００では、撮像処理部１１０はカメラマンの操作に従って動画像を撮像し、映像データを生成する。信号処理部１２０は、ＭＰＥＧやＨ．２６４などの符号化方式に従って映像データを圧縮符号化する。符号化された映像データは、第１の無線通信部１３０に伝達される。第１の無線通信部１３０は、第１のアンテナ１４０を介して符号化された映像データを第１の通信網９００へ送信する。なお、第１のアンテナ１４０から送信された映像データは、最寄りの基地局などの設備で受信され第１の通信網９００に伝わる。第１の通信網９００は、例えばインターネットなどのＩＰ網であり、送信したデータが相手に届くまでの遅延時間が大きい通信網である。
【００２５】
図３の記録側ユニット２００では、第１の通信網９００に接続された第１の通信処理部２１０が、映像データを受信する。受信された映像データは信号処理部２２０で所定の処理を経た後に、記録部２３０に映像ファイルとして記録する。録画状態では映像データが連続的に届くので、記録部２３０に生成される映像ファイルは、徐々にファイルサイズが大きくなっていく。
【００２６】
このように遠隔された２つのユニット間で映像データの記録動作が実行されている状態で、図２の撮像側ユニット１００で重要なシーンが始まったとする。この時、撮像側ユニット１００を操作するカメラマンは、図２の機器操作部１５０を操作し、ファイルの区切り指示を装置に伝える。機器操作部１５０には例えばボタンなどの入力手段が装備され、カメラマンのボタン操作の情報が機器操作部１５０から指示生成部１６０へ伝えられる。すなわち、カメラマンがどのボタンを押したかを示す情報が、機器操作部１５０から指示生成部１６０へ伝えられる。指示生成部１６０はボタン操作の情報から指示情報を生成する。この場合では、ファイルの区切り指示に相当するボタンが押され、そのボタンに対応した区切り指示情報が生成される。指示生成部１６０で生成された区切り指示情報は、第２の無線通信部１７０に伝達される。第２の無線通信部１７０は、指示生成部１６０で生成された区切り指示情報を、第２のアンテナ１８０に送信する。第２の無線通信部１７０は、第２のアンテナ１８０を介して、区切り指示情報を第２の通信網９５０へ送信する。第２の通信網９５０は、例えば携帯電話などの回線網であり、送信したデータが相手に届くまでの遅延時間が小さい通信網である。
【００２７】
図３の記録側ユニット２００では、第２の通信網９５０に接続された第２の通信処理部２５０が、区切り指示情報を受信する。受信された区切り指示情報は指示処理部２６０で解釈される。指示処理部２６０は受信された区切り指示情報を解釈し、現在実行中の映像データのファイル記録を新しいファイルに切替えるよう、機器制御部２７０に指示する。機器制御部２７０は記録部２３０の記録動作を制御し、映像データの記録を新しいファイルに切替える。この直後から映像データはこれまで記録してきた映像ファイル（第１の映像ファイル）ではなく、新しい映像ファイル（第２の映像ファイル）の方へ記録される。
【００２８】
ＩＰ通信網などにより実現される第１の通信網９００は、携帯電話通信網などにより実現される第２の通信網９５０よりも伝送遅延が大きいので、撮像側ユニット１００から映像データがリアルタイムで送信され、かつ、区切り指示情報が生成された時点の映像データと当該区切り指示情報とが同時に送信された場合であっても、区切り情報の方が同時に送信された映像データよりも先に記録側ユニット２００に受信されることになる。この結果、映像データの重要なシーンは、途切れることなく第２の映像ファイルの冒頭部分に記録される。
【００２９】
この後、カメラマンが、撮像側ユニット１００を用いて取材現場の状況を撮影し続けることにより、撮影された映像データが第１の通信網９００を介して記録側ユニット２００に送信され続ける。これに対し、記録側ユニット２００で受信された映像データは、第２の映像ファイルに記録され続け、第２の映像ファイルは、徐々にファイルサイズが大きくなっていく。
【００３０】
次に再び、カメラマンが、重要なシーンの開始を判断したとき、撮像側ユニット１００に備えられた機器操作部１５０を操作することにより、区切り指示情報が生成され、第２の通信網９５０を介して記録側ユニット２００に送信される。この指示は前述と同様の処理を経て図３の記録側ユニット２００で受信され、映像データの記録がさらに新しいファイル（第３の映像ファイル）に切り替えられ、記録動作はさらに継続する。
【００３１】
図４は本実施の形態１の映像記録装置１０で、記録部２３０内に記録された映像ファイルを示した図である。図４において、４００は第１の映像ファイル、４１０は第２の映像ファイル、４２０は第３の映像ファイルおよび、４３０は第４のファイルを表しており、４４０、４５０及び４６０は重要なシーンが記録された部分を表している。
【００３２】
図４では重要なシーン４４０が第２の映像ファイル４１０の先頭部分に記録され、それ以前に記録された不要な長時間の映像データは、第１の映像ファイル４１０に分離されている。また、重要なシーン４４０よりも後に記録された重要なシーン４５０は、第３の映像ファイル４２０の先頭部分に分離されている。さらに、重要なシーン４５０よりも後に記録された重要なシーン４６０は、第４の映像ファイル４３０の先頭部分に記録される。
【００３３】
従来であれば、図９に示したように、長時間記録した映像ファイル３００は巨大なサイズのファイルになる。しかし、図２の撮像側ユニット１００でカメラマンが機器操作部１５０を操作し、重要なシーンの開始時点ごとにファイルの区切り指示を与えることにより、第１の映像ファイル４００以外、すべて、先頭部分に重要なシーンを含む複数の映像ファイルに分割して記録部２３０に記録することができる。しかも、この区切り指示情報が記録側ユニット２００に伝達された時点では、記録側ユニット２００の記録部２３０には重要なシーンの映像データが未だ届いておらず、記録部２３０は重要なシーンの少し前の映像データを記録している。すなわち、図９の映像ファイル３００において、３２０の位置で示された箇所が、区切り指示情報が記録側ユニット２００に到着した位置に相当する。ここで、図３の記録部２３０が機器制御部２７０の制御に従ってファイルの切り替え動作を行なうことで、図９の映像ファイル３００において、３２０で示された位置よりも後の映像データは、図４の第２の映像ファイル４１０として新たなファイルに記録されることになる。
【００３４】
以上のように、本発明の実施の形態１の映像記録装置では、映像データが遅延の大きな通信網を介して伝達され、ファイルの区切り指示情報は遅延の小さな通信網を介して伝達されることにより、区切り指示情報の方が先に記録側ユニット２００に届く。この２つの通信網の遅延時間の差によって、記録側ユニット２００で重要なシーンがファイルに記録される前に、映像データを記録するファイルが新しいファイルに切替えられ、重要なシーンがこれまで記録してきた長時間の映像ファイルとは別の新しいファイルに記録される。
【００３５】
図４の第２の映像ファイル４１０は、重要なシーン４４０を含む映像ファイルであり、重要なシーンよりも前に録画された長時間の不要な映像データや、重要なシーン４４０よりも後に録画された重要なシーン４５０を含む映像データ、及び重要なシーン４６０を含む映像データは、いずれも別のファイルに分離されている。しかも、映像ファイル４００以外の映像ファイル４１０、４２０、４３０はすべて、重要なシーン４４０、４５０、４６０を映像ファイルの先頭部分に含み、かつ、図９に示した従来の映像ファイル３００と比較してファイルサイズが小さいので、編集作業におけるコピー作業やシーンのサーチなどを短時間で行なうことができる。
【００３６】
なお、実施の形態１では撮像側ユニット１００から映像データと区切り指示情報とを無線で伝送する例で説明したが、映像データと区切り指示情報のどちらか一方を有線、もしくは、両方とも有線で伝送しても良い。また、撮像側ユニット１００と記録側ユニット２００とを結ぶ２つの通信網に遅延差があれば、伝送手段が無線であっても有線であっても、どのような通信網の組合せであっても、本発明と同様の効果を得ることができる。
【００３７】
（実施の形態２）
次に、本実施の形態２について説明する。実施の形態２では１種類の通信網だけを利用して同様の効果が得られる方法について説明する。
【００３８】
図５は本実施の形態２の映像記録装置の撮像側ユニット５００の構成を示したブロック図である。図５において、撮像側ユニット５００は、撮像処理部５１０、信号処理部５２０、遅延処理部５２５、無線通信部５３０、アンテナ５４０、機器操作部５５０、及び指示生成部５６０を備える。また、撮像側ユニット５００は、第１の通信網９００を介して、記録側ユニットと接続される。撮像側ユニット５００において、図２に示した撮像側ユニット１００と異なる部分は、遅延処理部５２５、無線通信部５３０およびアンテナ５４０である。遅延処理部５２５は、信号処理部５２０で処理された映像データを、あらかじめ定められた時間だけ遅延させ、無線通信部５３０に伝達する。無線通信部５３０は、遅延処理部５２５で遅延された映像データとともに、指示生成部５６０から伝達された区切り指示情報を第１の通信網９００に送信する。なお、本実施の形態２の映像記録装置は、遅延処理部５２５および遅延処理部６２５は、いずれか一方を備えるだけでよい。撮像側ユニット５００において、撮像側ユニット５００に遅延処理部５２５が備えられていない場合には、無線通信部５３０は、遅延のない映像データとともに、指示生成部５６０から伝達された区切り指示情報を第１の通信網９００に送信する。
【００３９】
図６は実施の形態２の映像記録装置の記録側ユニット６００の構成を示したブロック図である。図６において、記録側ユニット６００は、通信処理部６１０、信号処理部６２０、遅延処理部６２５、記録部６３０、指示処理部６６０、機器制御部６７０を備える。また、第１の通信網９００は、図５の第１の通信網９００と同じものである。記録側ユニット６００において、図３に示した記録側ユニット２００と異なる部分は、通信処理部６１０および遅延処理部６２５である。通信処理部６１０は、受信したデータから、映像データと区切り指示情報とを分離する。さらに、通信処理部６１０は、分離された映像データを、信号処理部６２０に伝達するとともに、分離された区切り指示情報を指示処理部６６０に伝達する。遅延処理部６２５は、信号処理部６２０で記録用に処理された映像データをあらかじめ定められた時間だけ遅延させ、記録部６３０に伝達する。撮像側ユニット５００に遅延処理部５２５が備えられている場合には、記録側ユニット６００において遅延処理部６２５は必要なく、通信処理部６１０で、区切り指示情報に対して相対的に、すでにあらかじめ定められた時間だけ遅延された映像データが受信される。
【００４０】
以上のように構成された映像記録装置について、その動作を説明する。図５の撮像側ユニット５００では、撮像処理部５１０で撮像された映像データが、信号処理部５２０で圧縮符号化され、実施の形態１と同様のあらかじめ定められた映像データ形式となって、遅延処理部５２５に伝達される。遅延処理部５２５は、映像データをあらかじめ定められた時間だけ遅延した後、無線通信部５３０に伝達する。無線通信部５３０は、アンテナ５４０を介して映像データを第１の通信網９００へ送信する。なお、図示していないが、アンテナ５４０から送信された映像データは、最寄りの基地局や無線インターフェースなどの設備で受信され第１の通信網９００に伝わる。
【００４１】
図６の記録側ユニット６００では、第１の通信網９００に接続された通信処理部６１０が、映像データを受信する。信号処理部６２０は、受信された映像データに、管理情報を付加するなどのあらかじめ定められた処理を行った後に、遅延処理部６２５に伝達する。映像データは遅延処理部６２５であらかじめ定められた時間だけ遅延された後、記録部６３０に映像ファイルとして記録される。撮像側ユニット５００の遅延処理部５２５ですでに遅延処理が行われている場合には、記録側ユニット６００に遅延処理部６２５が備えられる必要はなく、信号処理部６２０で処理された映像データは、直接、記録部６３０に伝達され、映像ファイルとして記録される。
【００４２】
このように遠隔された２つのユニット間で映像データの記録動作が実行されている状態で、図５の撮像側ユニットで重要なシーンが始まったとする。この時、撮像側ユニット５００を操作するカメラマンは、図５の機器操作部５５０を操作し、ファイルの区切り指示を装置に伝える。図５の機器操作部５５０は、図２に示した機器操作部１５０と同様であり、カメラマンのボタン操作の情報を指示生成部５６０へ伝える。指示生成部５６０はボタン操作の情報から指示情報を生成する。この場合では、ファイルの区切り指示に相当するボタンが押され、そのボタンに対応した区切り指示情報が生成される。指示生成部５６０で生成された指示情報は、無線通信部５３０に伝達され、映像データに付加され、アンテナ５４０を介して第１の通信網９００へ送信される。
【００４３】
図６の記録側ユニット６００では、第１の通信網９００に接続された通信処理部６１０が、指示情報を受信する。受信された区切り指示情報は指示処理部６６０で解釈される。指示処理部６６０は受信された区切り指示情報を解釈し、現在実行中の映像データの記録を新しいファイルに切替える指示を機器制御部６７０に指示する。機器制御部６７０は記録部６３０の記録動作を制御し、映像データの記録を新しいファイルに切替える。この直後から映像データはこれまで記録してきた映像ファイル（第１の映像ファイル）ではなく、新しい映像ファイル（第２の映像ファイル）の方へ記録される。
【００４４】
その後、図５の撮像側ユニット５００では重要なシーンが終わり、録画動作を継続したまま、カメラマンが次の重要なシーンが開始したと判断すると、再びカメラマンは図５の機器操作部５５０を操作し、ファイルの区切り指示を装置に伝える。この指示は前述と同様の処理を経て図６の記録側ユニット６００で受信され、映像データの記録がさらに新しいファイル（第３の映像ファイル）に切り替えられ、記録動作はさらに継続する。
【００４５】
図４は本実施の形態２の映像記録装置で記録された映像ファイルを表した図であり、実施の形態１で説明したものと同じであるので、説明を省略する。
【００４６】
従来であれば、図９に示したように、長時間記録した映像ファイル３００は巨大なサイズのファイルになる。しかし、図５の撮像側ユニット５００でユーザが機器操作部５５０を操作し、ファイルの区切り指示を与えると、この区切り指示情報は同時刻に撮像された映像データよりも先に図６の記録側ユニット６００に伝達される。この理由は、図５の撮像側ユニット５００に遅延処理部５２５が備えられ、映像データはあらかじめ定められた遅延を経てから送信されるためである。または、図５の撮像側ユニット５００に遅延処理部５２５が備えられていない場合には、図６の記録側ユニット６００に遅延処理部６２５が備えられ、撮像側ユニット５００から受信した映像データがあらかじめ定められた遅延を経て記録部６３０に伝達されるからである。このため、区切り指示情報が記録側ユニット６００に到達した時点では、未だ記録側ユニット６００の記録部６３０には重要なシーンの映像データが未だ届いておらず、重要なシーンの少し前の映像データを記録していることになる。
【００４７】
図９の映像ファイル３００において、３２０の位置で示された箇所が、指示情報が到着した位置に相当する。ここで、図６の記録部６３０が機器制御部６７０の制御に従ってファイルの切り替え動作を行なうことで、図９の映像ファイル３００において、３２０で示された位置よりも後の映像データは、図４の第２の映像ファイル４１０として記録されることになる。
【００４８】
以上のように、本実施の形態２の映像記録装置では、撮像側ユニット５００に遅延処理部５２５を設ける、又は撮像側ユニット５００の遅延処理部５２５の代わりに、記録側ユニット６００に遅延処理部６２５を設けることで、ファイルの区切り指示情報と同時刻の映像データよりも、区切り指示情報の方を先に記録側ユニット６００の記録部６３０に届けることができる。この時間の差によって、重要なシーンがこれまで不要な映像データの記録を続けてきた従前のファイルに記録される前に、新しいファイルに切替えられ、重要なシーンがこれまでの長時間の映像ファイルとは別ファイルに記録される。
【００４９】
図４の第２の映像ファイル４１０は、重要なシーン４４０を含む映像ファイルであり、重要なシーン４４０よりも前に録画された長時間の映像ファイル４００は、別のファイルに分離されている。重要なシーンよりも後に録画を継続している映像は、別のファイルに分離されている。従って、映像ファイル４００以外の映像ファイル４１０、４２０および４３０はいずれも、重要なシーン４４０、４５０及び４６０を必ず各映像ファイル４１０、４２０および４３０の先頭部分に含み、かつ、図９に示した従来の映像ファイル３００と比較してファイルサイズが小さいので、編集作業におけるコピー作業やシーンのサーチなどを短時間で行なうことができるというメリットがある。
【００５０】
なお、実施の形態２では撮像側ユニット５００に遅延処理部５２５を設けて映像データを遅延させる例で説明したが、図６の遅延処理部６２５のように、記録側ユニット６００に遅延処理部６２５を設けて、受信した映像データを遅延させてから記録しても良い。撮像側ユニット５００に遅延処理部５２５を備える代わりに、記録側ユニット６００に遅延処理部６２５をそなえることにより、放送局毎に遅延処理部６２５の遅延時間を調整することができる。この場合、放送局毎に遅延時間を一定とすることができる。また、撮像側ユニット５００と記録側ユニット６００との両方に遅延処理部５２５、６２５を備えるとしても問題はない。この場合、例えば、いずれかの遅延処理部の動作を停止させ、遅延時間の長い方に合わせるとしてもよい。撮像側ユニット５００と記録側ユニット６００の少なくともどちらか一方に映像データを遅延させる仕組みがあれば、重要なシーンが従前の映像ファイルに記録されるよりも前に区切り指示情報が記録部６３０に届き、図６の機器制御部６７０が映像データの記録を新しいファイルに切替えることができ、本発明の効果を得ることができる。
【００５１】
なお、上記実施の形態１及び２では、重要シーンの開始毎に映像ファイルを切り替える例について説明したが、本発明はこれに限定されない。例えば、重要シーンの開始と終了との両方で映像ファイルを切り替えるとしてもよい。すなわち、重要シーンの部分だけをそれぞれ１つの映像ファイルに記録するとしてもよい。図７は、重要シーンの開始と終了との両方で映像ファイルを切り替えた場合に、記録部に記録される映像ファイルの一例を示す図である。同図に示すように、記録部は、録画開始から録画を継続し、重要なシーン３１０が開始するまでの不要な映像データだけを記録した映像ファイル８００と、重要なシーン３１０を含む映像ファイル８１０と、重要なシーン３１０の終了後、録画を継続したことによる不要な映像データを記録した映像ファイル８２０とを記録することができる。
【００５２】
この場合、実施の形態１及び２において、撮像側ユニット１００、５００及び記録側ユニット２００、６００の構成を全く変更せずに実現することができる。具体的には、撮像側ユニット１００、５００の機器操作部１５０、５５０に備えられる、ファイルの区切りを指示するボタンを、カメラマンが重要シーンの開始と、重要シーンの終了とで１回ずつ押すことによって実現することができる。ただし、この場合、カメラマンは、重要シーンの終了時に区切り指示ボタンを押すときは、重要シーンの開始時に押すときよりも時間を置いてから区切り指示ボタンを押さなければならない。理由は、映像データの方が同時刻に生成された区切り指示情報よりも遅く記録部２３０、６３０に届くので、重要シーンの終了と同時にボタンを押した場合、重要シーンの終了よりも前に区切り指示情報が届いてしまうからである。この結果、重要シーンの途中で、映像データのファイルが新しい映像ファイルに切り替えられてしまうことになる。しかしながら、カメラマンが適切なタイミングで重要シーンの開始時および終了時にファイルの区切りを指示するボタンを押すことにより、図７に示すような映像ファイルを記録部に記録することができる。
【００５３】
映像ファイル８００は、重要シーン３１０の開始と同時にカメラマンが区切り指示ボタンを押した場合、映像データを伝送する伝送路の遅延または遅延処理部による遅延により、映像データよりも早く区切り指示情報が記録部に届いた時点３２０で新たな映像ファイル８１０に切り替えられる。また、重要シーン３１０の終了時からこの遅延時間を経過後、さらに待機時間を置いて区切り指示ボタンを押した場合、映像データの記録は、重要シーン３１０の終了から待機時間を経過した時点３３０で新たな映像ファイル８２０にファイルが切り替えられる。その後、重要なシーンがないまま撮影が続けられた場合、不要な映像データのみからなる映像ファイル８２０が記録部に記録される。
【００５４】
このように、不要な映像データのみからなる映像ファイルと、重要シーンが取り出された映像ファイルとが記録部に記録された場合、重要シーンを含む映像ファイルが必ずしも小さいファイルとは限らないので、編集者にはどの映像ファイルが重要シーンを含む映像ファイルか区別がつかない可能性がある。図８は、不要な映像データのみからなる不要ファイルと重要シーンを含む重要ファイルとをファイル名で識別するためのテーブルの一例を示す図である。同図に示すように、例えば、重要ファイルと不要ファイルとのファイル名をそれぞれテーブルにリストアップすることにより、編集者は容易に記録部から重要ファイルを読み出して編集することができる。また、テーブルを作成しなくてもよく、例えば、図８に示すようにファイル名の先頭２文字が「ＳＧ」で始まる映像ファイルは、重要シーンを含むファイルであり、先頭２文字が「ＮＧ」で始まる映像ファイルは重要なシーンを含まない不要なファイルであると判断してもよい。また、このように映像ファイルのファイル名により、重要ファイルと不要ファイルとを区別するのでなく、例えば、各映像ファイルの先頭に、重要ファイルであるか不要ファイルであるかを示すフラグを付加しておいてもよい。
【００５５】
なお、上記の例では、撮像側ユニット１００、５００と記録側ユニット２００、６００との構成を変更することなく重要なシーンの開始時と終了時とで映像ファイルを切り替える例について説明したが、異なる構成としても実現できることは言うまでもない。例えば、撮像側ユニット１００、５００の機器操作部１５０、５５０に、重要シーン開始ボタンと重要シーン終了ボタンとを備え、指示生成部１６０、５６０は重要シーン開始ボタンと重要シーン終了ボタンとにそれぞれ対応する開始区切り情報と終了区切り情報とを生成するとしてもよい。これに対し、記録側ユニット２００、６００の指示処理部２６０、６６０は、開始区切り情報を受け取った場合には、即座に映像ファイルを切り替えるための区切り指示情報を機器制御部２７０、６７０に伝達し、終了区切り情報を受け取った場合には、映像データの遅延時間を超えるあらかじめ定められた待機時間だけ待機した後、記録部での映像ファイルを切り替えるための区切り指示情報を機器制御部２７０、６７０に伝達するとしてもよい。
【００５６】
また、撮像側ユニット１００、５００の機器操作部１５０、５５０に、重要シーン開始ボタンと重要シーン終了ボタンとを備え、指示生成部１６０、５６０は重要シーン開始ボタンが押されたことを示す信号を受け取ったときには即座に区切り指示情報を生成して無線通信部に伝達し、重要シーン終了ボタンが押されたことを示す信号を受け取ったときには、映像データの区切り指示情報に対する遅延時間を越える待機時間だけ待機した後、区切り指示情報を無線通信部に伝達するとしてもよい。
【００５７】
なお、ブロック図（図２、図３、図５、図６など）の各機能ブロックは典型的には集積回路であるＬＳＩとして実現される。これらは個別に１チップ化されても良いし、一部又は全てを含むように１チップ化されても良い（例えばメモリ以外の機能ブロックが１チップ化されていても良い。）。
【００５８】
ここでは、ＬＳＩとしたが、集積度の違いにより、ＩＣ、システムＬＳＩ、スーパーＬＳＩ、ウルトラＬＳＩと呼称されることもある。
【００５９】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【００６０】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００６１】
また、各機能ブロックのうち、符号化または復号化の対象となるデータを格納する手段だけ１チップ化せずに別構成としても良い。
【産業上の利用可能性】
【００６２】
本発明にかかる映像記録装置は、撮像部と記録部とが別構成で通信網を介して遠隔された状態で映像ファイルを記録する映像記録装置に適用でき、特に、即時性を要求される報道用カメラと放送局に設置される記録装置とからなる映像記録装置に適用できる。
【図面の簡単な説明】
【００６３】
【図１】本実施の形態１の映像記録装置の外観を示す図である。
【図２】本実施の形態１の映像記録装置の撮像側ユニットの構成を表すブロック図である。
【図３】本実施の形態１の映像記録装置の記録側ユニットの構成を表すブロック図である。
【図４】本発明の映像記録装置で記録された映像ファイルを表す図である。
【図５】本実施の形態２の映像記録装置の撮像側ユニットの構成を表すブロック図である。
【図６】本実施の形態２の映像記録装置の記録側ユニットの構成を表すブロック図である。
【図７】重要シーンの開始と終了との両方で映像ファイルを切り替えた場合に、記録部に記録される映像ファイルの一例を示す図である。
【図８】不要な映像データのみからなる不要ファイルと重要シーンを含む重要ファイルとをファイル名で識別するためのテーブルの一例を示す図である。
【図９】従来の映像記録装置で記録された映像ファイルを表す図である。
【符号の説明】
【００６４】
１００、５００    撮像側ユニット
１１０、５１０    撮像処理部
１２０、５２０    信号処理部
１３０    第１の無線通信部
１４０    第１のアンテナ
１５０、５５０    機器操作部
１６０、５６０    指示生成部
１７０    第２の無線通信部
１８０    第２のアンテナ
２００、６００    記録側ユニット
２１０    第１の通信処理部
２２０、６２０    信号処理部
２３０、６３０    記録部
２５０    第２の通信処理部
２６０、６６０    指示処理部
２７０、６７０    機器制御部
５２５、６２５    遅延処理部
５３０    無線通信部
５４０    アンテナ
６１０    通信処理部
９００    第１の通信網
９５０    第２の通信網
【図１】
2010161512.tif 000003
【図２】
2010161512.tif 000004
【図３】
2010161512.tif 000005
【図４】
2010161512.tif 000006
【図５】
2010161512.tif 000007
【図６】
2010161512.tif 000008
【図７】
2010161512.tif 000009
【図８】
2010161512.tif 000010
【図９】
2010161512.tif 000011